(57)【要約】【課題】収容される製品の完全で迅速な脱気が可能な、液体製品、特にイースト、のための袋を提供する。【解決手段】ガスを発生させる液体製品、特にイースト、を収容するための、二重壁タイプの袋であって、上記袋が、周囲の熱封止線（３）に沿って互いに結合された２つの対向面（２）と、上記対向面（２）のうちの一つに取り付けられて上記液体製品を充填および排出するための注ぎ口（７）とを備え、上記袋の二重壁が、ポリエチレンベースの高透過性の内膜（５）と、補強のための外膜（６）とを備え、上記外膜（６）が、ポリエチレンベースの不織布で出来ている。【選択図】図１
2013220856.tif 000002
【特許請求の範囲】
【請求項１】
ガスを発生させる液体製品を収容するための、二重壁タイプの袋であって、
上記袋が、周囲の熱封止線（３）に沿って互いに結合された２つの対向面（２）と、上記対向面（２）のうちの一つに取り付けられて上記液体製品を充填および排出するための注ぎ口（７）とを備え、
上記袋の二重壁が、ポリエチレンベースの透過性の内膜（５）と、補強のための外膜（６）とを備え、
上記外膜（６）が、ポリエチレンベースの不織布で出来ていることを特徴とする袋。
【請求項２】
上記不織布がポリプロピレンとポリエチレン（ＰＰ／ＰＥ）の混合物であることを特徴とする請求項１に記載の袋。
【請求項３】
上記外膜（６）の不織布の重量が６０ないし８５ｇ／ｍ２であることを特徴とする請求項２に記載の袋。
【請求項４】
上記内膜（５）が、同時押し出し成形された、３０μｍ、２８ｇ／ｍ２のＬＬＤＰＥ（線状低密度ポリエチレン）であることを特徴とする請求項１に記載の袋。
【発明の詳細な説明】
【技術分野】
【０００１】
本発明は、ガスを発生させる液体製品、特に製パンのためのイースト、を収容するための袋に関する。
【背景技術】
【０００２】
以下の記述では、特にイーストに言及しているが、本発明は、貯蔵中にガスを発生させる任意の液体製品またはペースト状製品に適用できることが理解されるであろう。
【０００３】
イーストは、製造段階では液状であり、次いで、市場に出回るときには多くの場合粉状や固形の塊状に変形するために脱水される。使用段階では、イーストは、再び液状に戻る。
【０００４】
近年、イーストを直接液状で製造・包装する傾向がある。これは、製造時に液状から固形状に変形させて使用時には逆に固形状から液状に変形させる段階が消えるという、実務上および経済上の観点から有利だからである。
【０００５】
液状のイーストを貯蔵する際の問題は、１０／２０リットルの包装物について１日に１ないし３リットルにも及ぶ、著しく大量のガス、特にＣＯ２が発生するということである。
【０００６】
それゆえ、袋は、一方では、ガスの高い透過性を有し、他方では、内容物の重量を支えられるくらい十分頑丈である必要がある。このような袋は通常、１０／２０リットルの容量がある。
【０００７】
このような要件を満たすために、「二重壁」の袋が提案された。すなわち、これは、ＣＯ２に対し高い透過性を示す、非常に薄い厚み（３０ないし５０μｍ）でそのため機械強度が低いポリエチレンベースの内膜と、ナイロンベースの積層物で構成されて、８０ないし１５０μｍの厚みで、必要な機械強度を袋に与えるのに適した外膜とを有する。
【０００８】
外膜は、透過性はないが、内膜を透過するガスの放出のための複数の小さな穴を有する。
【０００９】
このように形作られた袋は、操作が容易ないわゆるバッグインボックス包装を構成するように、段ボール箱の内部に置かれる。
【００１０】
上記のようなタイプの袋は、穴の開いた外膜を備えるにもかかわらず、袋を膨張させる傾向のあるガスの放出が不十分である点が見られるため、満足のいかないものである。
【００１１】
これは、液状のイーストが充填された袋が段ボール箱に入れられたときに、袋は箱になじみ、空いているままの袋の上部空間から遠い箇所では、袋の外側の表面と箱の内側の壁との間で圧力のかかる接触が起きるからである。
【００１２】
圧力のかかる接触によって、袋の内膜とプラスチックの外膜との間で強い付着が起こり、実際には外膜に設けられた穴を塞いでしまい、それゆえガスの放出を妨げてしまう。このガスは、袋の上部に貯まる傾向があり、そこでは、収納ボックスの内壁と接触していない、外膜の穴の開いた表面は小さいので、ガスは排出が困難である。
【先行技術文献】
【特許文献】
【００１３】
【特許文献１】米国特許出願公開第２００９／２３９４３２号明細書（２００９年０９月２４日公開）
【特許文献２】独国実用新案第２０  ２００６  ０１１９７６号明細書（２００６年１０月１９日公開）
【特許文献３】米国特許出願公開第２００８／１１６０９８号明細書（２００８年０５月２２日公開）
【特許文献４】国際公開第９８／４６４９８号（１９９８年１０月２２日公開）
【発明の概要】
【発明が解決しようとする課題】
【００１４】
本発明の目的は、従来技術の上記の欠点を解消することである。
【００１５】
より詳細には、本発明の目的は、そこに収容される製品の完全で迅速な脱気が可能な、液状のイーストのための袋を提供することである。
【００１６】
本発明の他の目的は、簡素で経済的に製造できる袋を提供することである。
【課題を解決するための手段】
【００１７】
本発明に係る袋は、添付の独立請求項１の特徴を有する。
【００１８】
本発明の有利な形態は、従属請求項に記載されている。
【００１９】
実質的には、本発明に係る袋は、
いわゆる二重壁タイプの袋であって、
ポリエチレンベースの高透過性の内膜と、補強のための外膜とを備え、
上記外膜が、ポリエチレンベースの繊維の不織布であり、上記内膜に封止可能であるようになっている。
【００２０】
有利には、外膜の不織布の繊維は、重量が６０ないし８５ｇ／ｍ２である、ポリプロピレンとポリエチレン（ＰＰ／ＰＥ）の混合物によって構成される。
【００２１】
本発明のさらなる特徴は、添付図面に示された非限定の例を単に用いて実施形態の一つを参照する以下の詳細な説明によってより明らかになるであろう。
【発明の効果】
【００２２】
本発明は、簡素で経済的な手段で、袋に収容された液体製品によって発生したガスの完全で迅速な放出ができるという特有の効果を奏する。
【図面の簡単な説明】
【００２３】
【図１】本発明の実施形態に係る袋の概略の平面図である。
【図２】図１の線II−IIに沿った拡大断面図である。
【図３】図１の袋の概略の斜視図である。
【発明を実施するための形態】
【００２４】
図面を参照し、本発明に係る袋は、ガスを発生させる液体製品、特にイースト、を収容するための袋であり、部材番号１で示す。
【００２５】
袋１は、外端４に平行に走る、周囲の熱封止線３を用いて結合された２つの対向面２を備える。
【００２６】
添付図面に示すように、袋１は、最も簡単に形成される長方形形状に描いてあるが、他の任意の形状でもよいことは明らかである。
【００２７】
袋１はいわゆる二重壁タイプのものであり、すなわち、袋１の２つの対向面２のそれぞれが、２つの膜、すなわち内膜５と補強のための外膜６とを有し、２つの対向面２は、互いに離れており、周囲の熱封止線３の所でのみ互いに結合している。
【００２８】
袋１の２つの対向面２のうちの一つには、液体製品を充填および排出するための注ぎ口７が取り付けられている。注ぎ口７は、対応する対向面２の内部に封止された円形のベースフランジ８を有し、また、注ぎ口７は、この対向面２に形成された穴から突き出ており、蓋９によって閉じられる。
【００２９】
袋１の二重壁の内膜５は、ガス、特に、ＣＯ２に対し、高透過性を有する。ＣＯ２は、袋に入っているイーストにより大量に生成され、１日、１気圧あたり、５０リットル／ｍ２（50 l/m２ day atm）を超える。内膜５は、ポリエチレンベースであり、例えば同時押し出し成形されたＬＬＤＰＥ（線状低密度ポリエチレン）ベースであり、上述の高透過性値を達成することができるようにするために、非常に薄い厚み（約３０μｍ）および２８ｇ／ｍ２の重量を有する。
【００３０】
このような内膜５は、単独では非常にもろく、それゆえ破れやすい。
【００３１】
それゆえ、外膜６は、袋に頑丈さを与え、破れやすさを回避する役割を割り当てられている。
【００３２】
外膜６は、本発明によれば、６０ないし８５ｇ／ｍ２の重量の、ポリプロピレンとポリエチレン（ＰＰ／ＰＥ）の混合物によって構成される繊維の不織布で出来ている。
【００３３】
不織布の繊維を構成する混合物におけるポリエチレンの存在によって、内膜５に対する周囲の熱封止線３の動作が許可され、また、注ぎ口７のベースフランジ８の熱封止をも同様に許可される。
【００３４】
ＰＰ／ＰＥ不織布の外膜６の製造によって、収納箱（バッグインボックス）、通常、段ボール箱に、袋１を挿入したときに内膜５と外膜６との間の付着による不利益を解消することが可能になる。
【００３５】
実際、本発明に係る不織布は、従来技術の穴の開いたプラスチック膜よりも皺が大きいので、膜同士の付着を防止し、全表面にわたって微小な穴を有する外膜６の不織布を通して、ガス、特にＣＯ２の放出を容易にする。
【００３６】
上述の内容から、簡素で経済的な手段で、袋１に収容された液体製品によって発生したＣＯ２ガスの完全で迅速な放出ができるという、本願の利点は明らかであると考えられる。
【００３７】
当然ながら、本発明は、ここまでに添付の図面に示した特定の実施形態には限定されず、代わりに、当業者に想到できる範囲で、それによって添付の請求項に規定した本発明の範囲から逸脱することなく、無数の詳細な変更を行うことができる。
【産業上の利用可能性】
【００３８】
本発明は、貯蔵中にガスを発生させる任意の液体製品またはペースト状製品に利用することができる。
【符号の説明】
【００３９】
１  袋
２  対向面
３  熱封止線
４  外端
５  内膜
６  外膜
７  注ぎ口
８  ベースフランジ
９  蓋
【図１】
2013220856.tif 000003
【図２】
2013220856.tif 000004
【図３】
2013220856.tif 000005